(57)【要約】【課題】            縦置き姿勢のティッシュ箱と小物雑貨類を効率よく収納でき、縦置き姿勢で収納されたティッシュ箱の取り出し口からティッシュを一枚ずつ的確に取り出しできる収納ケースを提供する。【解決手段】        上面が開口された収納ケース本体２の内部を第一仕切り板８でティッシュ箱収納部９と小物雑貨収納部１０とに隔て、小物雑貨収納部１０の内部を第二仕切り板２２で複数の収納部に隔てた。直方体形状のティッシュ箱３０を縦置き姿勢で収納できるティッシュ箱収納部９の側面部５に縦長のティッシュ取り出し開口部１２を形成した。第一仕切り板８に折り目を介して覆い面部１７を連接し、この覆い面部１７に折り目を介して折れ片１９を連接した。第一仕切り板８と第二仕切り板２２は受け面ファスナー１５，２３の前後の延設範囲において前後方向に設置位置を変更できるようにした。【選択図】          図１
0003223860.tif 000002
【実用新案登録請求の範囲】
【請求項１】
方形の底面部と、対向する前後の側面部と、この前後の側面部に隣接する両サイドの側面部から成る上面が開口された収納ケース本体の内部を対向する前後の側面部と平行に設置された垂直の第一仕切り板によって、少なくともティッシュ取り出し口が形成された面を長方形とし、この長方形の面の中央部分に長方形の長辺と平行な横長のティッシュ取り出し口が形成された直方体形状のティッシュ箱を収納できるティッシュ箱収納部と小物雑貨類を収納できる小物雑貨収納部とに隔てた構造の収納ケースであって、前記ティッシュ箱収納部は、該収納部内に前記ティッシュ箱を該ティッシュ箱のティッシュ取り出し口が形成された長方形の面の長辺側を縦方向に起立させた縦置き姿勢で、且つティッシュ取り出し口が形成された長方形の面を前記第一仕切り板と対向する該ティッシュ箱収納部の側面部側に向けた縦置き姿勢で収納できるように、前記収納ケース本体の両サイドの側面部の対向する両面の間隔幅を前記ティッシュ箱のティッシュ取り出し口が形成された長方形の面の短辺の幅より少し広く形成すると共に、前記第一仕切り板と該第一仕切り板と対向する該ティッシュ箱収納部の側面部との対向方向の間隔幅を前記ティッシュ箱の厚さ幅より少し広く形成し、さらに、前記第一仕切り板と対向する該ティッシュ箱収納部の側面部は前記した縦置き姿勢で収納される前記ティッシュ箱の垂直の面を覆うことができる高さ幅に形成し、さらに、前記した縦置き姿勢で収納される前記ティッシュ箱の横長から縦長に姿勢を変えられたティッシュ取り出し口に対応する位置に該ティッシュ取り出し口を介してティッシュを収納ケースの外に取り出しできる縦長のティッシュ取り出し開口部を前記第一仕切り板と対向する該ティッシュ箱収納部の側面部の中央部分に形成し、さらに、前記収納ケース本体の両サイドの側面部であって前記ティッシュ箱収納部に該当する側面部の部分は前記した縦置き姿勢で収納される前記ティッシュ箱の垂直の面を覆うことができる高さ幅に形成し、さらに、前記小物雑貨収納部は前記第一仕切り板と対向する該小物雑貨収納部の側面部の高さを前記第一仕切り板と対向する前記ティッシュ箱収納部の側面部の高さより低い高さに形成したティッシュ箱及び小物雑貨類の収納ケース。
【請求項２】
請求項１に記載の収納ケースであって、前記第一仕切り板と交わる前記収納ケース本体の両サイドの側面部の対向面に前後の側面部の方向に延ばした第一仕切り板用受け面ファスナーを設け、少なくとも前記第一仕切り板用受け面ファスナーが設置された高さ位置に対応する前記第一仕切り板の両側縁部に前記第一仕切り板用受け面ファスナーと着脱可能な縁取り面ファスナーを取付け、前記第一仕切り板を設置する仕切り位置を前記第一仕切り板用受け面ファスナーの前後の延設範囲において前後の側面部の方向に変更できるようにしたティッシュ箱及び小物雑貨類の収納ケース。
【請求項３】
請求項１に記載の収納ケースであって、前記第一仕切り板の上端部を縦置き姿勢で収納される前記ティッシュ箱の上面の高さと同等な高さに形成し、この第一仕切り板の上端部に前記ティッシュ箱収納部の上面開口を覆う覆い面部が開閉用折り目を介して折り畳み自在に連接され、この覆い面部の先端部に前記開閉用折り目と平行な差し込み用折り目を介して折れ片が折り畳み自在に連接され、この折れ片を差し込み片とした、ティッシュ箱及び小物雑貨類の収納ケース。
【請求項４】
請求項２に記載の収納ケースであって、前記第一仕切り板の上端部を縦置き姿勢で収納される前記ティッシュ箱の上面の高さと同等な高さに形成し、この第一仕切り板の上端部に前記ティッシュ箱収納部の上面開口を覆う覆い面部が開閉用折り目を介して折り畳み自在に連接され、この覆い面部の先端部に前記開閉用折り目と平行な差し込み用折り目を介して複数の折れ片が折り畳み自在に連接され、先端側の前記折れ片又はこの先端側の前記折れ片を含む後続の前記折れ片を差し込み片とした、ティッシュ箱及び小物雑貨類の収納ケース。
【請求項５】
請求項１に記載の収納ケースであって、前記ティッシュ箱収納部の縦長のティッシュ取り出し開口部を形成した側面部は、湾曲状に凹ませた左右対称の側辺部をもつ一対の側面部材で形成され、この一対の側面部材を該側面部材の湾曲状に凹ませた左右対称の側辺部が左右方向の中心部において縦長の開口部を残して上下方向の二点で互いに交わるように取付けて形成され、前記縦長の開口部を前記縦長のティッシュ取り出し開口部とした、ティッシュ箱及び小物雑貨類の収納ケース。
【請求項６】
請求項１に記載の収納ケースであって、前記小物雑貨収納部は、この小物雑貨収納部の内部を一つ又は複数の第二仕切り板によって複数の収納部に隔てて形成したティッシュ箱及び小物雑貨類の収納ケース。
【請求項７】
請求項２に記載の収納ケースであって、前記小物雑貨収納部は、前記第一仕切り板とこの第一仕切り板と対向する該小物雑貨収納部の側面部との間に平行に設置された一つ又は複数の第二仕切り板によって該小物雑貨収納部の内部を複数の収納部に隔てて形成し、しかも、前記第一仕切り板と交わる前記収納ケース本体の両サイドの側面部の対向面に前後の側面部の方向に延ばした第二仕切り板用受け面ファスナーを設け、少なくとも前記第二仕切り板用受け面ファスナーが設置された高さ位置に対応する前記第二仕切り板の両側縁部に前記第二仕切り板用受け面ファスナーと着脱可能な縁取り面ファスナーを取付け、前記第二仕切り板を設置する仕切り位置を前記第二仕切り板用受け面ファスナーの前後の延設範囲において前後の側面部の方向に変更できるようにしたティッシュ箱及び小物雑貨類の収納ケース。
【請求項８】
請求項２に記載の収納ケースであって、前記小物雑貨収納部は、前記第一仕切り板とこの第一仕切り板と対向する該小物雑貨収納部の側面部との間に平行に設置された一つ又は複数の第二仕切り板によって該小物雑貨収納部の内部を複数の収納部に隔てて形成し、しかも、前記第一仕切り板と交わる前記収納ケース本体の両サイドの側面部の対向面に前後の側面部の方向に延ばした第二仕切り板用受け面ファスナーを設け、少なくとも前記第二仕切り板用受け面ファスナーが設置された高さ位置に対応する前記第二仕切り板の両側縁部に前記第二仕切り板用受け面ファスナーと着脱可能な縁取り面ファスナーを取付け、前記第二仕切り板を設置する仕切り位置を前記第二仕切り板用受け面ファスナーの前後の延設範囲において前後の側面部の方向に変更できるようにし、さらに、前記第一仕切り板用受け面ファスナーと前記第二仕切り板用受け面ファスナーを前後の側面部の方向に連続して延ばした帯状の面ファスナーで形成し、この帯状の面ファスナーを高さ方向に複数設けたティッシュ箱及び小物雑貨類の収納ケース。
【請求項９】
請求項２、請求項７、請求項８のいずれかに記載の収納ケースであって、前記収納ケース本体を構成する前記底面部は、対角線で分離された二つの柔軟シート材の底面部分で形成され、二つの底面部分の分離辺を該分離辺の近傍に設けた雄雌の面ファスナー又は該分離辺に沿って設けたスライドファスナーによって開閉自在とした方形の外側底面部と、この外側底面部の上に載置する硬質な方形の底面板で構成され、且つ、前記収納ケース本体を構成する対向する前後の側面部と、この前後の側面部に隣接する両サイドの側面部は、互いに隣接する側面部の境目辺を折り目として折り畳み自在に連接したティッシュ箱及び小物雑貨類の収納ケース。
【請求項１０】
請求項１に記載の収納ケースであって、前記収納ケース本体の両サイドの側面部の前後方向の中央部の上端辺を前後の側面部の上端辺の高さより上方に突出させた湾曲辺とし、この湾曲辺の両端部が高低差のある前後の側面部の各上端辺の端部にそれぞれ連なる形状とし、この両サイドの側面部の前後方向の中央部の上部位置に手提げバンド取付け穴をそれぞれ開口形成し、この取付け穴に手提げバンドの両端部を挿通し装着して、手提げバンドを収納ケースに取付けたティッシュ箱及び小物雑貨類の収納ケース。
【請求項１１】
請求項１に記載の収納ケースであって、前記第一仕切り板と対向する前記小物雑貨収納部の側面部の外側面に布製の面部材を該面部材の上辺部を除く両側辺部と下辺部を逢着して取付けて、上方を差し入れ口としたポケット部を形成したティッシュ箱及び小物雑貨類の収納ケース。
【請求項１２】
請求項１に記載の収納ケースであって、前記収納ケース本体の両サイドの側面部の外側面の下部側に布製の面部材を該面部材の上辺部を除く両側辺部と下辺部を逢着して取付けて、上方を差し入れ口としたポケット部を形成したティッシュ箱及び小物雑貨類の収納ケース。
【考案の詳細な説明】
【技術分野】
【０００１】
本考案は、ティッシュ箱の収納部と、リモコン、眼鏡、筆記具などの小物雑貨類の収納部を備えた収納ケースに関する。
【背景技術】
【０００２】
本出願人は既に、ティッシュ箱（ティッシュ箱は一般的に広く知られた形態のもので、箱の上面に形成された横長の取り出し口からティッシュを一枚ずつ取り出し可能に収納してある直方体形状の紙製箱である。）と、リモコン、眼鏡、筆記具などの小物雑貨類を一緒に効率よくコンパクトに収納できるようにした収納ケースを提案し、実用新案登録第３１６３６３２号（特許文献１）として登録してある。
【０００３】
この特許文献１の収納ケースは、直方体形状のティッシュ箱を横向きの横置き姿勢で収納ケースのティッシュ箱収納部内に収納できるようにし、このティッシュ箱収納部のティッシュ取り出し口からティッシュ箱内のティッシュを一枚ずつ取り出せるようにしたものである。
【先行技術文献】
【特許文献】
【０００４】
【特許文献１】実用新案登録第３１６３６３２号公報
【考案の概要】
【考案が解決しようとする課題】
【０００５】
本考案は、ティッシュ箱（ティッシュ箱は一般的に広く知られた形態のもので、少なくともティッシュ取り出し口が形成された面を長方形とし、この長方形の面の中央部分に長方形の長辺と平行な横長のティッシュ取り出し口が形成された直方体形状のティッシュ箱である。）と、リモコン、眼鏡、筆記具などの小物雑貨類を一緒に効率よくコンパクトに収納でき、主にテーブル面や床面に置いて使用するのに便利な収納ケースであり、特に本考案は、このティッシュ箱を縦置き姿勢で収納ケースのティッシュ箱収納部内に収納できるようにし、このティッシュ箱収納部のティッシュ取り出し口（本案ではティッシュ取り出し開口部。）から縦置き姿勢のティッシュ箱内のティッシュを一枚ずつ的確に取り出しできる収納ケースを提供しようとするものである。
【課題を解決するための手段】
【０００６】
上記の課題を解決するため、本考案（請求項１の考案）は、方形の底面部と、対向する前後の側面部と、この前後の側面部に隣接する両サイドの側面部から成る上面が開口された収納ケース本体の内部を対向する前後の側面部と平行に設置された垂直の第一仕切り板によって、少なくともティッシュ取り出し口が形成された面を長方形とし、この長方形の面の中央部分に長方形の長辺と平行な横長のティッシュ取り出し口が形成された直方体形状のティッシュ箱を収納できるティッシュ箱収納部と小物雑貨類を収納できる小物雑貨収納部とに隔てた構造の収納ケースであって、前記ティッシュ箱収納部は、該収納部内に前記ティッシュ箱を該ティッシュ箱のティッシュ取り出し口が形成された長方形の面の長辺側を縦方向に起立させた縦置き姿勢で、且つティッシュ取り出し口が形成された長方形の面を前記第一仕切り板と対向する該ティッシュ箱収納部の側面部側に向けた縦置き姿勢で収納できるように、前記収納ケース本体の両サイドの側面部の対向する両面の間隔幅を前記ティッシュ箱のティッシュ取り出し口が形成された長方形の面の短辺の幅より少し広く形成すると共に、前記第一仕切り板と該第一仕切り板と対向する該ティッシュ箱収納部の側面部との対向方向の間隔幅を前記ティッシュ箱の厚さ幅より少し広く形成し、さらに、前記第一仕切り板と対向する該ティッシュ箱収納部の側面部は前記した縦置き姿勢で収納される前記ティッシュ箱の垂直の面を覆うことができる高さ幅に形成し、さらに、前記した縦置き姿勢で収納される前記ティッシュ箱の横長から縦長に姿勢を変えられたティッシュ取り出し口に対応する位置に該ティッシュ取り出し口を介してティッシュを収納ケースの外に取り出しできる縦長のティッシュ取り出し開口部を前記第一仕切り板と対向する該ティッシュ箱収納部の側面部の中央部分に形成し、さらに、前記収納ケース本体の両サイドの側面部であって前記ティッシュ箱収納部に該当する側面部の部分は前記した縦置き姿勢で収納される前記ティッシュ箱の垂直の面を覆うことができる高さ幅に形成し、さらに、前記小物雑貨収納部は前記第一仕切り板と対向する該小物雑貨収納部の側面部の高さを前記第一仕切り板と対向する前記ティッシュ箱収納部の側面部の高さより低い高さに形成した、ティッシュ箱及び小物雑貨類の収納ケースを提供する。
【０００７】
本考案（請求項１の考案）の収納ケースによれば、前記ティッシュ箱収納部内にティッシュ箱を、前記小物雑貨収納部内に小物雑貨類を収納でき、特に、ティッシュ箱を縦置き姿勢で収納ケースのティッシュ箱収納部内に的確に収納でき、このティッシュ箱収納部のティッシュ取り出し開口部から縦置き姿勢のティッシュ箱内のティッシュを一枚ずつ的確に取り出すことができる。
【０００８】
また、本考案（請求項２の考案）は、前記した収納ケース（請求項１の収納ケース）であって、前記第一仕切り板と交わる前記収納ケース本体の両サイドの側面部の対向面に前後の側面部の方向に延ばした第一仕切り板用受け面ファスナーを設け、少なくとも前記第一仕切り板用受け面ファスナーが設置された高さ位置に対応する前記第一仕切り板の両側縁部に前記第一仕切り板用受け面ファスナーと着脱可能な縁取り面ファスナーを取付け、前記第一仕切り板を設置する仕切り位置を前記第一仕切り板用受け面ファスナーの前後の延設範囲において前後の側面部の方向に変更できるようにしたティッシュ箱及び小物雑貨類の収納ケースを提供する。
【０００９】
本考案（請求項２の考案）の収納ケースによれば、前記第一仕切り板を設置する仕切り位置を前記第一仕切り板用受け面ファスナーの前後の延設範囲において前後の側面部の方向に変更できるため、前記ティッシュ箱収納部の前後の側面部の方向の収納幅を該ティッシュ箱収納部内に縦置き姿勢で収納されるティッシュ箱の厚さ幅より少し広くした最適な幅サイズに変更調節できる。よって、標準的な厚さ幅（例えば、約５．５ｃｍ）とは異なる厚さ幅のティッシュ箱を前記ティッシュ箱収納部内に縦置き姿勢で収納する場合であっても、縦置き姿勢のティッシュ箱のティッシュ取り出し口を前記ティッシュ箱収納部の縦長のティッシュ取り出し開口部に対応した寄せ位置に収納することができ、このティッシュ箱収納部のティッシュ取り出し開口部から縦置き姿勢のティッシュ箱内のティッシュを一枚ずつ的確に取り出すことができる。
【００１０】
また、本考案（請求項３の考案）は、前記した収納ケース（請求項１の収納ケース）であって、前記第一仕切り板の上端部を縦置き姿勢で収納される前記ティッシュ箱の上面の高さと同等な高さに形成し、この第一仕切り板の上端部に前記ティッシュ箱収納部の上面開口を覆う覆い面部が開閉用折り目を介して折り畳み自在に連接され、この覆い面部の先端部に前記開閉用折り目と平行な差し込み用折り目を介して折れ片が折り畳み自在に連接され、この折れ片を差し込み片とした、ティッシュ箱及び小物雑貨類の収納ケースを提供する。
【００１１】
本考案（請求項３の考案）の収納ケースによれば、前記折れ片（差し込み片）を前記ティッシュ箱収納部内に縦置き姿勢で収納されるティッシュ箱と前記第一仕切り板と対向する前記ティッシュ箱収納部の側面部との間の隙間に上方向から差し込めば、差し込まれた折れ片（差し込み片）によって前記覆い面部が縦置き姿勢で収納されるティッシュ箱の上面を覆う状態に固定される。この覆い面部によって、前記ティッシュ箱収納部内に縦置き姿勢で収納されるティッシュ箱の上面を覆うことができ、よって、前記ティッシュ箱収納部内に縦置き姿勢で収納される直方体形状のティッシュ箱を固定した状態に収納できると共に、縦置き姿勢で収納されるティッシュ箱の全面を該ティッシュ箱のティッシュ取り出し口に対応するティッシュ箱収納部の縦長のティッシュ取り出し開口部の形成部分を除き覆った状態で収納できる。
【００１２】
また、本考案（請求項４の考案）は、前記した収納ケース（請求項２の収納ケース）であって、前記第一仕切り板の上端部を縦置き姿勢で収納される前記ティッシュ箱の上面の高さと同等な高さに形成し、この第一仕切り板の上端部に前記ティッシュ箱収納部の上面開口を覆う覆い面部が開閉用折り目を介して折り畳み自在に連接され、この覆い面部の先端部に前記開閉用折り目と平行な差し込み用折り目を介して複数の折れ片が折り畳み自在に連接され、先端側の前記折れ片又はこの先端側の前記折れ片を含む後続の前記折れ片を差し込み片とした、ティッシュ箱及び小物雑貨類の収納ケースを提供する。
【００１３】
本考案（請求項４の考案）の収納ケースによれば、前記ティッシュ箱収納部の前後の側面部の方向の収納幅の変更に対応して前記ティッシュ箱収納部の上面開口を覆う覆い幅を変更できるようにした。しかも本考案（請求項４の考案）によれば、前記第一仕切り板、覆い面部、及び折れ片（差込み片）を収納ケース本体から取り外しでき、取り外した前記第一仕切り板、覆い面部、及び折れ片（差込み片）はコンパクトな扁平形態に折り畳むことができる。
【００１４】
また、本考案（請求項５の考案）は、前記した収納ケース（請求項１の収納ケース）であって、前記ティッシュ箱収納部の縦長のティッシュ取り出し開口部を形成した側面部は、湾曲状に凹ませた左右対称の側辺部をもつ一対の側面部材で形成され、この一対の側面部材を該側面部材の湾曲状に凹ませた左右対称の側辺部が左右方向の中心部において縦長の開口部を残して上下方向の二点で互いに交わるように取付けて形成され、前記縦長の開口部を前記縦長のティッシュ取り出し開口部とした、ティッシュ箱及び小物雑貨類の収納ケースを提供する。
【００１５】
一対の側面部材は、両者とも柔軟な側面部材としても良く、一方が柔軟な側面部材で、他方が硬めの側面部材としても良く、また、両者とも硬めの側面部材としても良い。
【００１６】
また、本考案（請求項６の考案）は、前記した収納ケース（請求項１の収納ケース）であって、前記小物雑貨収納部は、この小物雑貨収納部の内部を一つ又は複数の第二仕切り板によって複数の収納部に隔てて形成したティッシュ箱及び小物雑貨類の収納ケースを提供する。
【００１７】
本考案（請求項６の考案）の収納ケースによれば、前記小物雑貨収納部の内部を複数の収納部に隔てて形成してあるため、リモコン、眼鏡、筆記具などの小物雑貨類を複数の収納部に効率よく収納できる。
【００１８】
また、本考案（請求項７の考案）は、前記した収納ケース（請求項２の収納ケース）であって、前記小物雑貨収納部は、前記第一仕切り板とこの第一仕切り板と対向する該小物雑貨収納部の側面部との間に平行に設置された一つ又は複数の第二仕切り板によって該小物雑貨収納部の内部を複数の収納部に隔てて形成し、しかも、前記第一仕切り板と交わる前記収納ケース本体の両サイドの側面部の対向面に前後の側面部の方向に延ばした第二仕切り板用受け面ファスナーを設け、少なくとも前記第二仕切り板用受け面ファスナーが設置された高さ位置に対応する前記第二仕切り板の両側縁部に前記第二仕切り板用受け面ファスナーと着脱可能な縁取り面ファスナーを取付け、前記第二仕切り板を設置する仕切り位置を前記第二仕切り板用受け面ファスナーの前後の延設範囲において前後の側面部の方向に変更できるようにしたティッシュ箱及び小物雑貨類の収納ケースを提供する。
【００１９】
本考案（請求項７の考案）の収納ケースによれば、前記第二仕切り板を設置する仕切り位置を前記第二仕切り板用受け面ファスナーの前後の延設範囲において前後の側面部の方向に変更でき、この第二仕切り板で仕切られた前記小物雑貨収納部の内部の複数の収納部を適宜の収納幅に形成できるため、リモコン、眼鏡、筆記具などの小物雑貨類を更に効率よく収納できる。また、本考案（請求項７の考案）の収納ケースによれば、前記第二仕切り板を収納ケース本体から取り外すことができる。
【００２０】
また、本考案（請求項８の考案）は、前記した収納ケース（請求項２の収納ケース）であって、前記小物雑貨収納部は、前記第一仕切り板とこの第一仕切り板と対向する該小物雑貨収納部の側面部との間に平行に設置された一つ又は複数の第二仕切り板によって該小物雑貨収納部の内部を複数の収納部に隔てて形成し、しかも、前記第一仕切り板と交わる前記収納ケース本体の両サイドの側面部の対向面に前後の側面部の方向に延ばした第二仕切り板用受け面ファスナーを設け、少なくとも前記第二仕切り板用受け面ファスナーが設置された高さ位置に対応する前記第二仕切り板の両側縁部に前記第二仕切り板用受け面ファスナーと着脱可能な縁取り面ファスナーを取付け、前記第二仕切り板を設置する仕切り位置を前記第二仕切り板用受け面ファスナーの前後の延設範囲において前後の側面部の方向に変更できるようにし、さらに、前記第一仕切り板用受け面ファスナーと前記第二仕切り板用受け面ファスナーを前後の側面部の方向に連続して延ばした帯状の面ファスナーで形成し、この帯状の面ファスナーを高さ方向に複数設けたティッシュ箱及び小物雑貨類の収納ケースを提供する。
【００２１】
本考案（請求項８の考案）の収納ケースによれば、前記した考案（請求項７の考案）の収納ケースの機能及び効果に加えて、連続して延ばした帯状の面ファスナーで形成した前記第一仕切り板用受け面ファスナーと前記第二仕切り板用受け面ファスナーを容易に設置することができる。
【００２２】
また、本考案（請求項９の考案）は、前記した収納ケース（請求項２、７、８のいずれかの収納ケース）であって、前記収納ケース本体を構成する前記底面部は、対角線で分離された二つの柔軟シート材の底面部分で形成され、二つの底面部分の分離辺を該分離辺の近傍に設けた雄雌の面ファスナー又は該分離辺に沿って設けたスライドファスナーによって開閉自在とした方形の外側底面部と、この外側底面部の上に載置する硬質な方形の底面板で構成され、且つ、収納ケース本体を構成する対向する前後の側面部と、この前後の側面部に隣接する両サイドの側面部は、互いに隣接する側面部の境目辺を折り目として折り畳み自在に連接したティッシュ箱及び小物雑貨類の収納ケースを提供する。
【００２３】
本考案（請求項９の考案）の収納ケースは、底面部の雄雌の面ファスナーを外し、又は底面部のスライドファスナーを開け、二つの底面部分の分離辺を開状態にすれば、収納ケース本体の側面部は各境目辺を折り目として折り畳み自在な構造にしてある。したがって、本考案（請求項９の考案）の収納ケースによれば、前記第一仕切り板と前記底面板を取り外した収納ケース本体をコンパクトな扁平形態に折り畳むことができる。また、前記第一仕切り板と前記第二仕切り板と前記底面板を取り外した収納ケース本体をコンパクトな扁平形態に折り畳むことができる。
【考案の効果】
【００２４】
本考案の収納ケースは、ティッシュ箱と、リモコン、眼鏡、筆記具などの小物雑貨類を一緒に効率よくコンパクトに収納でき、特に、ティッシュ箱を縦置き姿勢で収納ケースのティッシュ箱収納部内に的確に収納でき、このティッシュ箱収納部のティッシュ取り出し開口部から縦置き姿勢のティッシュ箱内のティッシュを一枚ずつ的確に取り出すことができる。特に、本案の収納ケースは、ティッシュ箱を縦置き姿勢で収納ケースのティッシュ箱収納部内に収納できるため、この収納ケースをテーブル面や床面に置いて使用する場合、特許文献１の収納ケース（この収納ケースは、直方体形状のティッシュ箱を横向きの横置き姿勢で収納ケースのティッシュ箱収納部内に収納する。）と比べて、ティッシュ箱収納部の設置スペースを小さくでき、収納ケースの設置スペースを小さくできる。
【図面の簡単な説明】
【００２５】
【図１】ティッシュ箱収納部側から視た本考案の収納ケースの斜視図である。
【図２】小物雑貨収納部側から視た本考案の収納ケースの斜視図である。
【図３】本考案の収納ケースの分解斜視図である。
【考案を実施するための形態】
【００２６】
以下、本考案の収納ケースの最良の実施形態を示した図面に基づいて説明する。本考案の収納ケース１は、方形（図示した実施形態では長方形）の底面部３と、対向する前後の側面部４，５と、この前後の側面部４，５に隣接する両サイドの側面部６，７から成る上面が開口された収納ケース本体２の内部を対向する前後の側面部４，５と平行に設置された垂直の第一仕切り板８によって、少なくともティッシュ取り出し口３１が形成された面を長方形とし、この長方形の面の中央部分に長方形の長辺と平行な横長のティッシュ取り出し口３１が形成された直方体形状のティッシュ箱３０を収納できるティッシュ箱収納部９と小物雑貨類を収納できる小物雑貨収納部１０とに隔てた構造である。
【００２７】
前記収納ケース本体２の対向する前後の側面部４，５は長方形の底面部３の相対する各短辺にそれぞれ隣接し、前記収納ケース本体２の両サイドの側面部６，７は長方形の底面部３の相対する各長辺にそれぞれ隣接している。
【００２８】
図示した実施形態の収納ケース１は、ティッシュ箱収納部９内に収納するティッシュ箱３０として、一般的に広く知られた形態のもので、ティッシュ取り出し口３１からティッシュＰを一枚ずつ取り出し可能に収納してある直方体形状の紙製箱であり、ティッシュ取り出し口３１が形成された面を上面にして置いた場合における、ティッシュ箱３０の上面（底面も）の長辺が約２３ｃｍ、短辺が約１１．５ｃｍの長方形で、厚さ幅Ｔが約５．５ｃｍの現在最も普及している標準サイズのものを想定し、形成してある。しかし、ティッシュ箱３０の厚さ幅Ｔは勿論のこと、ティッシュ箱のその他のサイズも前記したサイズに限定されないことは勿論である。
【００２９】
前記ティッシュ箱収納部９は、該収納部９内に前記ティッシュ箱３０を該ティッシュ箱のティッシュ取り出し口３１が形成された長方形の面の長辺側を縦方向に起立させた縦置き姿勢で且つティッシュ取り出し口３１が形成された長方形の面を前記第一仕切り板８と対向する該ティッシュ箱収納部９の側面部５側に向けた縦置き姿勢で収納できるように、前記収納ケース本体２の両サイドの側面部６，７の対向する両面の間隔幅を前記ティッシュ箱３０のティッシュ取り出し口３１が形成された長方形の面の短辺の幅より少し広く形成すると共に、前記第一仕切り板８と該第一仕切り板８と対向する該ティッシュ箱収納部９の側面部５の対向方向の間隔幅を前記ティッシュ箱３０の厚さ幅Ｔより少し広く形成し、さらに、前記第一仕切り板８と対向する該ティッシュ箱収納部９の側面部５は縦置き姿勢で収納される前記ティッシュ箱３０の垂直の面を覆うことができる高さ幅に形成し、さらに、この縦置き姿勢で収納される前記ティッシュ箱３０の横長から縦長に姿勢を変えられたティッシュ取り出し口３１に対応する位置に該ティッシュ取り出し口３１を介してティッシュＰを収納ケース１の外に取り出しできる縦長のティッシュ取り出し開口部１２を前記第一仕切り板８と対向する該ティッシュ箱収納部９の側面部５の中央部分に形成し、さらに、前記収納ケース本体２の両サイドの側面部６，７であって前記ティッシュ箱収納部９に該当する側面部の部分は縦置き姿勢で収納される前記ティッシュ箱３０の垂直の面を覆うことができる高さ幅に形成してある。
【００３０】
前記小物雑貨収納部１０は、前記第一仕切り板８と対向する該小物雑貨収納部１０の側面部４の高さを前記第一仕切り板８と対向する前記ティッシュ箱収納部９の側面部５の高さより低い高さに形成し、図示した実施形態では、小物雑貨収納部１０の側面部４の高さ幅を前記ティッシュ箱収納部９の側面部５の高さ幅の約半分の高さ幅に形成してある。
【００３１】
本考案の収納ケース１は、前記第一仕切り板８と交わる前記収納ケース本体２の両サイドの側面部６，７の対向面に前後の側面部４，５の方向に延ばした第一仕切り板用受け面ファスナー１５を設け、少なくとも前記第一仕切り板用受け面ファスナー１５が設置された高さ位置に対応する前記第一仕切り板８の両側縁部に前記第一仕切り板用受け面ファスナー１５と着脱可能な縁取り面ファスナー８ｃを取付け、前記第一仕切り板８を設置する仕切り位置を前記第一仕切り板用受け面ファスナー１５の前後の延設範囲において前後の側面部４，５の方向に変更できるようにしてある。
【００３２】
また、本考案の収納ケース１は、前記第一仕切り板８の上端部を縦置き姿勢で収納される前記ティッシュ箱３０の上面の高さと同等な高さに形成し、この第一仕切り板８の上端部に前記ティッシュ箱収納部９の上面開口を覆う覆い面部１７が開閉用折り目１８を介して折り畳み自在に連接され、この覆い面部１７の先端部に前記開閉用折り目１８と平行な差し込み用折り目２０を介して折れ片１９が折り畳み自在に連接され、この折れ片１９を差し込み片として機能するようにしてある。なお、前記覆い面部１７の表面には、つかみ部２１（図１参照）を設けてある。このつかみ部２１は前記覆い面部１７を上方に開ける際に便利である。
【００３３】
図示した実施形態では、この覆い面部１７の先端部に前記開閉用折り目１８と平行な差し込み用折り目２０を介して複数（二つ）の折れ片１９，１９が折り畳み自在に連接され、先端側の前記折れ片１９又はこの先端側の前記折れ片１９を含む後続の前記折れ片１９を差し込み片として機能するようにしてある。
【００３４】
なお、図示してないが、前記第一仕切り板８、覆い面部１７、複数の折れ片１９は、各面に相等する板状芯材の全体を被覆シート材で被い、隣接する板状芯材の端部間に在る被覆シート材を境目に沿って逢着し、境目に沿った逢着箇所を折り目（開閉用折り目１８、差し込み用折り目２０）としてある。
【００３５】
また、本考案の収納ケース１は、前記ティッシュ箱収納部９の縦長のティッシュ取り出し開口部１２を形成した側面部５は、湾曲状に凹ませた左右対称の側辺部５ａ，５ａをもつ一対の柔軟な側面部材５Ａ，５Ａで形成され、この一対の柔軟な側面部材５Ａ，５Ａを該側面部材の湾曲状に凹ませた左右対称の側辺部５ａ，５ａが左右方向の中心部において縦長の開口部を残して上下方向の二点で互いに交わるように逢着して取付けて形成され、前記縦長の開口部を前記縦長のティッシュ取り出し開口部１２としたことを特徴としている。
【００３６】
実施例では、一対の側面部材５Ａ，５Ａを両者とも柔軟な側面部材としてある。しかし、一対の側面部材５Ａ，５Ａは、一方が柔軟な側面部材で、他方が硬めの側面部材としても良く、また、両者とも硬めの側面部材としても良い。
【００３７】
また、前記小物雑貨収納部１０は、前記小物雑貨収納部１０の内部を複数（二枚）の第二仕切り板２２によって複数（三つ）の収納部１０ａ，１０ａ，１０ａに隔てて形成してある。
【００３８】
図示した実施形態では、前記小物雑貨収納部１０は、前記第一仕切り板８とこの第一仕切り板と対向する該小物雑貨収納部１０の側面部４との間に平行に設置された複数（二枚）の第二仕切り板２２（この第二仕切り板２２は、前記第一仕切り板８と対向する前記小物雑貨収納部１０の側面部４と同等な高さ幅を有する。）によって該小物雑貨収納部１０の内部を複数（三つ）の収納部１０ａ，１０ａ，１０ａに隔てて形成し、しかも、前記第一仕切り板８と交わる前記収納ケース本体２の両サイドの側面部６，７の対向面に前後の側面部４，５の方向に延ばした第二仕切り板用受け面ファスナー２３を設け、少なくとも前記第二仕切り板用受け面ファスナー２３が設置された高さ位置に対応する前記第二仕切り板２２の両側縁部に前記第二仕切り板用受け面ファスナー２３と着脱可能な縁取り面ファスナー２２ｃを取付け、前記第二仕切り板２２を設置する仕切り位置を前記第二仕切り板用受け面ファスナー２３の前後の延設範囲において前後の側面部４，５の方向に変更できるようにしてある。
【００３９】
図示した実施形態では、前記第一仕切り板用受け面ファスナー１５と前記第二仕切り板用受け面ファスナー２３を前後の側面部４，５の方向に連続して延ばした帯状の面ファスナーで形成し、この帯状の面ファスナーを高さ方向に二段に分けて複数設けてある。
【００４０】
なお、図示した実施形態には、前側に配置した第二仕切り板２２の前側面に筆記具を上から挿入して係止するための半環状の筆記具係止ベルト２４（図３に示した。）を取付けてある。
【００４１】
前記収納ケース本体２を構成する方形（図示した実施形態では長方形）の底面部３は、対角線で分離された二つの柔軟シート材の底面部分３ａ，３ａで形成され、二つの底面部分３ａ，３ａの分離辺を該分離辺の近傍に設けた雄雌の面ファスナー３ｂ，３ｃによって開閉自在（この雄雌の面ファスナー３ｂ，３ｃに替え、前記分離辺に沿って設けたスライドファスナーで該分離辺を開閉自在としても良い。）とした方形の外側底面部３Ａと、この外側底面部３Ａの上に載置する硬質な方形の底面板３Ｂで構成されている。
【００４２】
また、収納ケース本体２を構成する対向する前後の側面部４，５と、この前後の側面部４，５に隣接する両サイドの側面部６，７は、互いに隣接する側面部の境目辺を折り目Ｆとして折り畳み自在に連接してある。
【００４３】
なお、前記ティッシュ箱収納部９の縦長のティッシュ取り出し開口部１２を形成した側面部５（この側面部は前述したように、一対の柔軟な側面部材５Ａ，５Ａで形成されている。）を除いた三面の側面部（前記第一仕切り板８と対向する該小物雑貨収納部１０の側面部４と、この側面部４に隣接する両サイドの側面部６，７）は、各側面部に相等する板状芯材を被覆シート材で被い、隣接する板状芯材の端部間に在る被覆シート材を境目に沿って逢着し、境目に沿った逢着箇所（境目辺）を折り目Ｆとしてある。
【００４４】
これによって、底面部３の雄雌の面ファスナー３ｂ，３ｃを外して、二つの底面部分３ａ，３ａの分離辺を開状態にすれば、収納ケース本体２の側面部４，５，６，７は各境目辺Ｆを折り目として折り畳み自在な構造にしてある。したがって、本考案の収納ケース１によれば、前記第一仕切り板８と前記第二仕切り板２１と前記底面板３Ｂを取り外した収納ケース本体２をコンパクトな扁平形態に折り畳むことができる。
【００４５】
前記収納ケース本体２の両サイドの側面部６，７の前後方向の中央部の上端辺を前後の側面部４，５の上端辺の高さより上方に突出させた湾曲辺とし、この湾曲辺の両端部が高低差のある前後の側面部４，５の各上端辺の端部にそれぞれ連なる形状とし、この両サイドの側面部６，７の前後方向の中央部の上部位置に手提げバンド取付け穴２５をそれぞれ開口形成し、この取付け穴２５に手提げバンド２６の両端部を挿通し装着して、手提げバンド２６を収納ケース１に取付けてある。
【００４６】
図２、図３に示したように、収納ケース１には、前記第一仕切り板８と対向する前記小物雑貨収納部１０の側面部４の外側面、及び両サイドの側面部６，７の外側面の下部側に布製の面部材を該面部材の上辺部を除く両側辺部と下辺部を逢着して取付けて、上方を差し入れ口としたポケット部２７をそれぞれ形成してある。このポケット部２７はレシートなどの薄手の小物雑貨を一時的に収納するのに適している。
【００４７】
なお、図示の実施形態では、前記第一仕切り板８及び前記第二仕切り板２２を前記収納ケース本体２に対して着脱自在な構造としたが、本考案では、これらの仕切り板（８，２２）を収納ケース本体２に対して固定した構造のものを除くものではない。
【符号の説明】
【００４８】
１  収納ケース
２  収納ケース本体
３  底面部
３Ａ  外側底面部
３ａ，３ａ  底面部分
３ｂ，３ｃ  雄雌の面ファスナー
３Ｂ  底面板
４，５  前後の側面部
５Ａ，５Ａ  一対の側面部材
５ａ，５ａ  一対の側面部材の側辺部
６，７  両サイドの側面部
８  第一仕切り板
８ｃ  第一仕切り板の縁取り面ファスナー
９  ティッシュ箱収納部
１０  小物雑貨収納部
１２  ティッシュ取り出し開口部
１５  第一仕切り板用受け面ファスナー
１７  覆い面部
１８  開閉用折り目
１９  折れ片（差し込み片）
２０  差し込み用折り目
２２  第二仕切り板
２２ｃ  第二仕切り板の縁取り面ファスナー
２３  第二仕切り板用受け面ファスナー
２５  手提げバンド取付け穴
２６  手提げバンド
２７  ポケット部
３０  ティッシュ箱
３１  ティッシュ箱のティッシュ取り出し口
Ｔ  ティッシュ箱の厚さ幅
Ｐ  ティッシュ
【図１】
0003223860.tif 000003
【図２】
0003223860.tif 000004
【図３】
0003223860.tif 000005